(57)【要約】【課題】構成部品の分別が容易な外面電極型蛍光ランプ、あるいは、接着剤の電極部分などへの流れ込みを防止する外面電極型蛍光ランプ用のホルダーを提供すること。【解決手段】蛍光体層１２を形成した発光領域Ｌを設け、放電媒体を封入した外囲器１１と、この外囲器１１の外に位置し外囲器１１内に放電を発生させる電極１３ａ、１３ｂと、この電極１３ａ、１３ｂ上から外囲器１１の外面に第１粘着剤層１５で張り付けた電極シート１４と、この電極シート１４上から外囲器１１を被覆する熱収縮チューブ１７とを具備し、第１粘着剤層１５が剥離性を有する粘着剤で形成されている。【選択図】図１
2006092911.tif 000002
【特許請求の範囲】
【請求項１】
蛍光体層を形成した発光領域を設け、放電媒体を封入した外囲器と、この外囲器の外に位置し前記外囲器内に放電を発生させる電極と、この電極上から前記外囲器の外面に粘着剤で張り付けた電極シートと、この電極シート上から前記外囲器を被覆する熱収縮チューブとを具備し、前記粘着剤が剥離性を有することを特徴とする外面電極型蛍光ランプ。
【請求項２】
蛍光体層を形成した発光領域を設け、放電媒体を封入した外囲器と、この外囲器の外に位置し前記外囲器内に放電を発生させる電極と、この電極上から前記外囲器の外面に粘着剤で張り付けた電極シートと、この電極シート上から前記外囲器を被覆する熱収縮チューブとを具備し、前記熱収縮チューブ部分にミシン目を入れたことを特徴とする外面電極型蛍光ランプ。
【請求項３】
外面電極型蛍光ランプの端部を挿入する空間を設けた本体部分を具備するホルダーにおいて、前記外面電極型蛍光ランプは、蛍光体層を形成した発光領域を設け、放電媒体を封入した外囲器と、この外囲器の外に位置し前記外囲器内部に放電を発生させる電極と、この電極と外部回路とを接続する接続用ハーネスとを有し、前記本体部分は、前記空間に挿入される前記外面電極型蛍光ランプの側面に向って、外部から前記空間に通じる第１開口を形成し、かつ前記空間に挿入される前記外面電極型蛍光ランプの端面に向って、外部から前記空間に通じる第２開口を形成し、前記空間側の前記第１開口周辺に凸状部を設けたことを特徴とするホルダー。
【発明の詳細な説明】
【技術分野】
【０００１】
本発明は、放電媒体を封入した外囲器の外に電極を配置した外面電極型蛍光ランプ、および、この外面電極型蛍光ランプに使用するホルダーに関する。
【背景技術】
【０００２】
外面電極型蛍光ランプは、指向性が良好で高効率の光放射が得られるという利点があり、コピー機やスキャナーなどＯＡ機器の読み取り用光源、あるいは、ディスプレイのバックライト用光源などに用いられている。
【０００３】
ここで、従来の外面電極型蛍光ランプについて図９の断面図を参照して説明する。外面電極型蛍光ランプを構成する外囲器９１は直管状に形成され、内部に放電媒体が封入されている。外囲器９１は、断面が円形の管状側壁部分９１ａおよびこの側壁部分９１ａの両端を封止する端面部分（図示せず）などから構成されている。側壁部分９１ａの内面に蛍光体層９２が設けられ、発光領域Ｌを形成している。発光領域Ｌは管軸Ｏを中心にたとえば１８０°以上の角度範囲に設けている。蛍光体層９２を形成しない部分は、外部に光を放出するアパーチャ領域Ａを形成している。
【０００４】
側壁部分９１ａの外面に、一対の電極９３ａ、９３ｂが対向して配置されている。電極９３ａ、９３ｂは、電極シート９４によって側壁部分９１ａの外面に固定されている。たとえば電極シート９４の図示内側の面に形成した第１粘着剤層９５に電極９３ａ、９３ｂを張り付け、電極９３ａ、９３ｂを張り付けた電極シート９４を、電極９３ａ、９３ｂの外側から第１粘着剤層９５によって側壁部分９１ａに張り付けている。また、電極９３ａ、９３ｂは、その図示内側の面に第２粘着剤層９６が形成され、第２粘着剤層９６によって側壁部分９１ａに張り付けられている。
【０００５】
また、側壁部分９１ａの外周面は、電極シート９４上から熱収縮チューブ９７によって被覆されている。熱収縮チューブ９７は、その内径を外囲器９１の外径よりも少し大きめに形成し、熱収縮チューブ９７の内側に外囲器９１を配置し、その後、加熱して収縮させる。この熱収縮で、熱収縮チューブ９７は、電極シート９４上から側壁部分９１ａの外周面に密着し、電極シート９４が外囲器９１から剥がれないように固定する。
【０００６】
上記した構成において、一対の電極９３ａ、９３ｂ間に高電圧を加え、外囲器９１内に放電を発生させる。この放電で、蛍光体層９２から光が発生し、蛍光体層９２が発生した光はアパーチャ領域Ａから外部に放出される。
【０００７】
次に、上記した従来の外面電極型蛍光ランプの概略の構造について図１０を参照して説明する。図１０（ａ）はアパーチャ領域Ａ側から見た正面図、図１０  （ｂ）は、図１０（ａ）の下方から見た下面図、図１０（ｃ）は、図１０（ａ）の裏側から見た背面図である。図１０は、図９と対応する部分に同じ符号を付し重複する説明を一部省略する。
【０００８】
外囲器９１を構成する側壁部分９１ａの外面に、一対の電極９３ａ、９３ｂが外囲器９１の長さ方向に所定間隔で平行に配置されている。また、一対の電極９３ａ、９３ｂ上に電極シート９４が配置され、電極シート９４上に熱収縮チューブ９７が配置されている。
【０００９】
電極９３ａ、９３ｂおよび電極シート９４、熱収縮チューブ９７は、それぞれ外囲器９１のほぼ全長部分に形成されている。また、一対の電極９３ａ、９３ｂの端部に、各電極９３ａ、９３ｂ間に高電圧を加える端子Ｔａ、Ｔｂが設けられている。端子Ｔａ、Ｔｂは外囲器９１の長さ方向に延び、その先端は熱収縮チューブ９７の外まで延びている。なお、側壁部分９１ａの両端は端面部分９１ｂで封止されている。
【００１０】
次に、外囲器９１の側壁部分９１ａに電極シート９４を張り付ける方法について図１１を参照して説明する。図１１は、図９および図１０と対応する部分に同じ符号を付し重複する説明を一部省略する。
【００１１】
電極シート９４上に第１粘着剤層９５が形成され、この第１粘着剤層９５上に一対の電極９３ａ、９３ｂが所定間隔に、かつ平行に張り付けられる。その後、電極９３ａ、９３ｂ上に第２粘着剤層９６が形成される。その後、電極９３ａ、９３ｂを内側にして、外囲器９１の側壁部分９１ａに、電極９３ａ、９３ｂおよび電極シート９４を張り付ける。
【００１２】
ここで、側壁部分９１ａに電極シート９４を張り付けた状態を図１２に示す。図１２は、図９〜図１１と対応する部分に同じ符号を付し重複する説明を省略する。
【００１３】
上記した従来の外面電極型蛍光ランプは特許文献１などに開示されている。
【００１４】
ところで、外面電極型蛍光ランプは、固定部材などに固定する場合、外面電極型蛍光ランプの端部、つまり外囲器９１の端部にホルダーを取り付け、このホルダーを固定部材などに固定する方法で行われる。
【００１５】
ここで、外面電極型蛍光ランプの端部に取り付けるホルダーについて図１３を参照して説明する。図１３（ａ）は外囲器９１部分のたとえば左側端部を固定する第１ホルダーＨ１で、図１３（ｂ）は外囲器９１部分のたとえば右側端部を固定する第２ホルダーＨ２である。第１ホルダーＨ１および第２ホルダーＨ２は、左右対称でも、あるいは左右非対称でもよいが、以下は、図１３（ａ）（ｂ）に示すように左右対称の場合で説明する。
【００１６】
第１ホルダーＨ１および第２ホルダーＨ２は、直方体状の本体部分１３１および本体部分１３１から突出する壁部分１３２などから構成されている。本体部分１３１および壁部分１３２は弾力性のない材料で一体に形成されている。そして、本体部分１３１に外囲器の端部を挿入する空間１３３が設けられている。
【００１７】
本体部分１３１には、空間１３３に挿入される外囲器の側面、つまり側壁部分９１ａの外周面に向って、外部から空間１３３に通じる第１開口１３４が設けられている。第１開口１３４は、本体部分１３１の一部を外囲器の長さ方向に切り欠いて形成している。
【００１８】
なお、図示していないものの、本体部分１３１には、外囲器９１の端面部分９１ｂ（図１０）に向って、外部から空間１３３に通じる第２開口が設けられている。壁部分１３２にも、第１ホルダーＨ１および第２ホルダーＨ２を固定するための第３開口が設けられている。
【００１９】
図１３（ｃ）は外面電極型蛍光ランプに設けた電極９３ａ、９３ｂの各端子Ｔａ、Ｔｂと外部回路とを接続するハーネスＴｈで、ハーネスＴｈは、外部回路と接続する接続部Ｔｃおよび電極の端子に接続する端子部Ｔｔ、接続部Ｔｃと端子部Ｔｔを結ぶ導線部Ｔｌなどから構成されている。端子部Ｔｔが各端子Ｔａ、Ｔｂに接続され、導線部Ｔｌがたとえば第１ホルダーＨ１の第１開口１３４を通して外部に引き出される。
【００２０】
次に、第１ホルダーＨ１のより詳細な構造について図１４を参照して説明する。第２ホルダーＨ２は第１ホルダーＨ１と左右対称のため、ここでの説明は省略する。また、図１４は図１３と対応する部分に同じ符号を付し重複する説明を一部省略する。
【００２１】
図１４（ａ）は概略の斜視図、図１４（ｂ）は図１４（ａ）の矢印Ｙ１方向からみた正面図、図１４（ｃ）は図１４（ａ）の矢印Ｙ２方向からみた上面図、図１４（ｄ）は図１４（ａ）の矢印Ｙ３方向からみた側面図である。
【００２２】
本体部分１３１には、外囲器の端部を挿入する空間１３３が外囲器の長さ方向に設けられている。また、外囲器を構成する側壁部分の両端を封止する端面部分に向って、外部から空間１３３に通じる第２開口１３５、たとえば貫通孔が設けられている。壁部分１３２には、第１ホルダーＨ１や第２ホルダーＨ２を固定するための第３開口１３６、たとえばねじ孔が設けられている。
【００２３】
次に、外囲器とホルダーの接着部分ついて図１５を参照して説明する。
【００２４】
図１５（ａ）（ｂ）に示すように、本体部分１３１に形成した空間１３３の内径は、外囲器９１の外径よりも０．２〜０．６ｍｍ程度大きく形成され、空間１３３内面と側壁部分９１ａとの間に隙間Ｇが生じている。
【００２５】
そして、図１５（ａ）に示すように、第１開口１３４からポリアミド系接着剤（以下第１接着剤という）Ｐ、たとえばジェットメルト（住友スリーエム株式会社：商品型番−ＪＡ−７３７５）を注入し、外囲器９１のたとえば側壁部分９１ａと本体部分１３１を仮固定する。その後、図１５（ｂ）に示すように、第２開口１３５からシリコン系接着剤（以下第２接着剤という）Ｓ（たとえば信越化学株式会社：商品型番−ＫＥ−３４９０）を空間１３３の底部から注入、充填し、たとえば外囲器９１の端面部分９１ｂと本体部分１３１を本固定する。
【００２６】
第２接着剤は、接着力および耐熱性、絶縁性にすぐれ、高い強度で固定できる。しかし、安定するまでの時間が長く作業性が低下するという問題がある。そのため、上記したように、速乾性で無溶剤の第１接着剤で仮固定し、その後、第２接着剤を用いて本固定される。
【特許文献１】特許第３０２２２８３号公報
【発明の開示】
【発明が解決しようとする課題】
【００２７】
従来の外面電極型蛍光ランプは、外囲器の側壁部分に一対の電極を配置する場合、まず、電極シートの一方の面に第１粘着剤層を設けて、その第１粘着剤層に電極を張り付けている。次に、電極上に第２粘着剤層を設け、一対の電極を内側にして外囲器の側壁部分に電極シートを巻きつけ、電極シートを側壁部分に張り付けている。
【００２８】
この場合、外面電極型蛍光ランプの構成部品、たとえば外囲器を構成するガラスおよび電極を形成する金属、電極シートを形成する樹脂（たとえばポリエチレンテレフタレート）などが第１粘着剤層や第２粘着剤層によって強固に張り付いている。そのため、外面電極型蛍光ランプを使用した後に、ガラスや金属、樹脂などの各構成部品を外囲器から分離し、あるいは各構成部品どうしを分別する作業が難しく、再利用が困難で、多くが産業廃棄物として処分される。
【００２９】
また、外面電極型蛍光ランプにホルダーを取り付ける場合、外面電極型蛍光ランプの外囲器とホルダーを第１接着剤などで仮固定している。このとき、第１接着剤が電極部分や接続端子部分などに流れ込む場合がある。第１接着剤は電極部分などに接触すると、使用時の温度上昇で抵抗値が下がり、微小放電が発生し、外面電極型蛍光ランプが消灯するなどの不具合が発生する。
【００３０】
このような第１接着剤の流れ込みを防止する方法として、たとえばホルダー空間内の外囲器との隙間を小さくし、第１接着剤が流れにくくする方法がある。しかし、外囲器の外径およびホルダーの空間内径には寸法公差があり、空間内の隙間を小さくするには限界がある。したがって、ホルダー部分の穴の内径は、通常、外囲器部分の外径よりも０．２〜０．６ｍｍ大きくなり、第１接着剤の流れ込みを防止できない。
【００３１】
本発明は、上記した欠点を解決し、構成部品の分別が容易な外面電極型蛍光ランプ、あるいは、接着剤の電極部分などへの流れ込みを防止する外面電極型蛍光ランプ用のホルダーを提供することを目的とする。
【課題を解決するための手段】
【００３２】
本発明の外面電極型蛍光ランプは、蛍光体層を形成した発光領域を設け、放電媒体を封入した外囲器と、この外囲器の外に位置し前記外囲器内に放電を発生させる電極と、この電極上から前記外囲器の外面に粘着剤で張り付けた電極シートと、この電極シート上から前記外囲器を被覆する熱収縮チューブとを具備し、前記粘着剤が剥離性を有することを特徴とする。
【００３３】
また、本発明の外面電極型蛍光ランプは、蛍光体層を形成した発光領域を設け、放電媒体を封入した外囲器と、この外囲器の外に位置し前記外囲器内に放電を発生させる電極と、この電極上から前記外囲器の外面に粘着剤で張り付けた電極シートと、この電極シート上から前記外囲器を被覆する熱収縮チューブとを具備し、前記熱収縮チューブ部分にミシン目を入れたことを特徴とする。
【００３４】
また、本発明は、外面電極型蛍光ランプの端部を挿入する空間が設けられた本体部分を具備するホルダーにおいて、前記外面電極型蛍光ランプは、蛍光体層を形成した発光領域を設け、かつ放電媒体を封入した外囲器と、この外囲器の外に位置し前記外囲器内部に放電を発生させる電極と、この電極と外部回路とを接続する接続用ハーネスとを有し、前記本体部分は、前記空間に挿入される前記外面電極型蛍光ランプの側面に向って、外部から前記空間に通じる第１開口を形成し、前記空間に挿入される前記外面電極型蛍光ランプの端面に向って、外部から前記空間に通じる第２開口を形成し、前記空間側の前記第１開口周辺に凸状部を設けたことを特徴とする。
【発明の効果】
【００３５】
本発明によれば、電極シートあるいは電極などを外囲器に張り付ける粘着剤層として、粘着力が弱く剥離性のある微粘着性の粘着剤を使用し、あるいは、熱収縮チューブ部分にミシン目を入れてある。したがって、電極シートや電極、熱収縮チューブなどの構成部品を外囲器から容易に分離でき、再使用など資源を有効に活用できる外面電極型蛍光ランプが実現される。
【００３６】
また、外面電極型蛍光ランプとホルダーを固定する接着剤の注入口の近傍に凸状部を設けている。このため、接着剤の電極部分などへの流れ込みが凸状部で阻止され、消灯などの不具合が発生しない外面電極型蛍光ランプ用のホルダーが実現される。
【発明を実施するための最良の形態】
【００３７】
本発明の実施形態について図１を参照して説明する。
【００３８】
外面電極型蛍光ランプ（以下蛍光ランプという）は外囲器１１などから構成されている。外囲器１１は、たとえば断面が円形の管状側壁部分１１ａおよびこの側壁部分１１ａの両端を封止する端面部分（図示せず）などから構成されている。外囲器１１はたとえばガラス製で、たとえば直管状に形成され、その内部に放電媒体、たとえばキセノンを主体とする希ガス、あるいは分子性ガスなどが封入されている。
【００３９】
側壁部分１１ａの内面に蛍光体層１２が設けられ、発光領域Ｌを形成している。発光領域Ｌは管軸Ｏを中心に、たとえば１８０°以上の角度範囲に設けている。蛍光体層１２を設けない部分はアパーチャ領域Ａを形成している。
【００４０】
側壁部分１１ａの外面に、たとえばアルミニウム製の一対の電極１３ａ、１３ｂが対向して配置され、各電極１３ａ、１３ｂは透光性の樹脂製電極シート１４によって固定されている。たとえば電極シート１４の内側の面に形成した第１粘着剤層１５に電極１３ａ、１３ｂを張り付け、電極１３ａ、１３ｂを張り付けた電極シート１４を、電極１３ａ、１３ｂの上から側壁部分１１ａの外周面に張り付けている。また、電極１３ａ、１３ｂの内側の面に第２粘着剤層１６を形成し、この第２粘着剤層１６によって、電極１３ａ、１３ｂを側壁部分１１ａに張り付けている。
【００４１】
なお、第１粘着剤層１５および第２粘着剤層１６には、電極シート１４や電極１３ａ、１３ｂなどを外囲器１１から容易に分離できるように、たとえば粘着力が弱く剥離性のある粘着剤が使用されている。
【００４２】
また、側壁部分１１ａの外周面は、電極シート１４上から熱収縮チューブ１７によって被覆されている。たとえば熱収縮チューブ１７の内径を側壁部分１１ａの外径よりも少し大きく形成し、熱収縮チューブ１７の内側に外囲器１１を配置し、その後、加熱して収縮させる。この熱収縮で、熱収縮チューブ１７が外囲器１１の外周面に密着し、外囲器１１から電極シート１４が剥がれないように固定する。
【００４３】
また、熱収縮チューブ１７には、一対の電極１３ａ、１３ｂで挟まれた発光領域Ｌ内で電極シート１４と重なる部分に、外囲器１１の長さ方向に延びる直線状の１本のミシン目Ｍが形成されている。
【００４４】
上記の実施形態では、電極１３ａ、１３ｂ面に第２粘着剤層１６を形成している。しかし、電極シート１４による側壁部分１１ａへの張り付けだけで、電極１３ａ、１３ｂを確実に固定できる場合は、第２粘着剤層１６はなくてもよい。
【００４５】
上記した構成において、一対の電極１３ａ、１３ｂ間に高電圧を加え、外囲器１１内に放電を発生させる。この放電で蛍光体層１２から光が発生し、蛍光体層１２が発生した光はアパーチャ領域Ａから外部に放出される。
【００４６】
次に、上記した蛍光ランプの概略の構造について図２を参照して説明する。図２（ａ）はアパーチャ領域Ａ側から見た正面図、図２（ｂ）は、図２（ａ）の下方から見た下面図、図２（ｃ）は、図２（ａ）の裏側から見た背面図である。図２は、図１と対応する部分に同じ符号を付し重複する説明を一部省略する。
【００４７】
図２（ａ）などに示すように、外囲器１１の側壁部分１１ａの外面に、一対の電極１３ａ、１３ｂが外囲器１１の長さ方向に、所定間隔で平行に配置されている。また、電極１３ａ、１３ｂ上に電極シート１４が配置され、さらに、電極シート１４上に、熱収縮チューブ１７が配置されている。
【００４８】
電極１３ａ、１３ｂおよび電極シート１４、熱収縮チューブ１７は、外囲器１１のほぼ全長部分に形成されている。また、一対の電極１３ａ、１３ｂの端部に、各電極１３ａ、１３間に高電圧を加える端子Ｔａ、Ｔｂが接続されている。端子Ｔａ、Ｔｂは外囲器１１の長さ方向に延び、その先端は熱収縮チューブ１７の外まで延びている。
【００４９】
また、図２（ｃ）に示すように、電極シート１４と重なる熱収縮チューブ１７部分に、外囲器１１の長さ方向に１本のミシン目Ｍが形成されている。ミシン目Ｍは、たとえば隣接する小さな多数の貫通孔などで形成される。この場合、熱収縮チューブ１７と電極シート１４が重なる部分にミシン目Ｍを設けているため、ミシン目Ｍによって絶縁機能が損なわれるようなことはない。
【００５０】
図２（ｃ）は、１本のミシン目Ｍを形成している。しかし、ミシン目は２本以上の複数でもよく、たとえば３ｍｍ程度の間隔で平行な２本のミシン目を設ければ、熱収縮チューブ１７の分離がより容易になる。
【００５１】
次に、外囲器１１の側壁部分１１ａに電極シート１４を張り付ける方法について図３を参照して説明する。図３は、図１および図２と対応する部分に同じ符号を付し重複する説明を一部省略する。
【００５２】
電極シート１４上に第１粘着剤層１５を形成し、この第１粘着剤層１５上に一対の電極１３ａ、１３ｂを所定間隔に平行に張り付ける。次に、一対の電極１３ａ、１３ｂ上に第２粘着剤層１６を形成する。次に、一対の電極１３ａ、１３ｂを内側にして、外囲器１１の側壁部分１１ａに電極シート１４を張り付ける。
【００５３】
なお、電極シート１４には、たとえば厚さが約５０μｍのポリエチレンテレフタレートなどの樹脂が用いられる。また、電極１３ａ、１３ｂには、たとえば長さが３３０ｍｍで、幅が８ｍｍの波型アルミ箔が用いられる。
【００５４】
次に、外囲器１１の側壁部分１１ａに電極シート１４を張り付けた状態を図４に示す。図４は、図１〜図３と対応する部分に同じ符号を付し重複する説明を一部省略する。
【００５５】
次に、蛍光ランプを固定部材などに取り付けるホルダーについて図５を参照して説明する。蛍光ランプの左右両端に固定される２つのホルダーは、たとえば左右対称であるため、ここでは、その１つのホルダーについてのみ説明する。
【００５６】
図５（ａ）はホルダーの概略の斜視図、図５（ｂ）は図５（ａ）の矢印Ｙ１方向からみた正面図、図５（ｃ）は図５（ａ）の矢印Ｙ２方向からみた上面図、図５（ｄ）は図５（ａ）の矢印Ｙ３方向からみた側面図である。
【００５７】
図５（ａ）に示すように、ホルダーＨは、直方体状の本体部分５１、および本体部分５１から突出する壁部分５２などから構成されている。本体部分５１および壁部分５２は弾力性のない材料で一体に形成されている。本体部分５１には、蛍光ランプを構成する外囲器部分の端部を挿入する空間５３が、挿入される外囲器と平行にその長さ方向に設けられている。
【００５８】
また、本体部分５１には、空間５３に挿入された外囲器の側面、つまり側壁部分の外周面と対向する位置に、外部から空間５３に通じる第１開口５４が設けられている。第１開口５４は、たとえば本体部分５１の一部を外囲器の長さ方向に矩形状に切り欠いて形成している。また、外囲器を構成する側壁部分の両端を封止する端面部分と対向する位置に、外部から空間５３に通じる第２開口５５、たとえば貫通口が設けられている。また、壁部分５２に、ホルダーＨを固定部材などに固定するための第３開口５６、たとえばねじ孔が設けられている。
【００５９】
そして、図５（ｄ）に示すように、空間５３側の第１開口５４の周辺、たとえば第１開口５４の上辺および下辺に沿って、挿入される外囲器の長さ方向に平行に２つの凸状部５７ａ、５７ｂが設けられている。なお、空間５３の内径は、外囲器の外径よりもたとえば０．６〜１．０ｍｍ大きくし、凸状部５７ａ、５７ｂの高さはたとえば０．２〜０．４ｍｍにしている。
【００６０】
次に、ホルダーＨと外囲器の固定方法について図６を参照して説明する。
【００６１】
固定用治具６０は基台６１および基台６１上に所定間隔に配置した支持台６２ａ、６２ｂなどから構成され、それぞれの支持台６２ａ、６２ｂに収納穴６３ａ、６３ｂが設けられている。
【００６２】
そして、外囲器１１の両端部を空間５３部分に挿入した２つのホルダーＨを、それぞれ２つの支持台６２ａ、６２ｂの収納穴６３ａ、６３ｂに収納し固定する。その後、支持台６２ａ、６２ｂ間に延びる外囲器１１部分を押圧具６４ａ、６４ｂによって矢印Ｘ方向に上から押さえつけ、ホルダーＨの空間５３および外囲器１１の軸を高い精度で平行に設定する。その後、ホルダーＨのたとえば第１開口５４から矢印Ｙ方向に第１接着剤Ｐを注入し、ホルダーＨと外囲器１１を仮固定する。
【００６３】
なお、外囲器１１に設けた電極１３ａ、１３ｂと外部回路を接続するハーネスＴｈが第１開口５４を通して外部に引き出されている。
【００６４】
その後、ホルダーＨを両端に固定した蛍光ランプを接着用治具６０から取外し、ホルダーＨのたとえば第２開口５５から第２接着剤などを注入し、ホルダーＨと蛍光ランプを本固定する。
【００６５】
上記の第１接着剤Ｐの注人時、一方の電極側に位置する第１開口５４の上辺、および、他方の電極側に位置する第１開口５４の下辺に、それぞれ２つの凸状部５７ａ、５７ｂ（図５）が設けられているため、電極の高圧側および低圧側への第１接着剤Ｐの流れ込みが防止される。なお、第２接着剤は、たとえば第１開口５４および第２開口５５から充填し、第２接着剤の充填度合は従来の蛍光ランプの場合と同じである。
【００６６】
次に、蛍光ランプの両端にホルダーに固定した状態を図７に示す。図７は、図１〜図３に対応する部分に同じ符号を付し、重複する説明を省略する。
【００６７】
図７（ａ）は外囲器１１の両端にホルダーＨに固定した状態で、たとえば蛍光ランプを構成する外囲器１１の一端に、電極１３ａ、１３ｂの端子Ｔａ、Ｔｂと外部回路とを接続するハーネスＴｈが配置されている。
【００６８】
ハーネスＴｈは、図７（ｂ）に示すように、外部回路と接続する接続部Ｔｃおよび電極１３ａ、１３ｂの端子Ｔａ、Ｔｂに接続する端子部Ｔｔ、接続部Ｔｃと端子部Ｔｔを結ぶ導線部Ｔｌなどから構成され、図７（ａ）に示すように、たとえば導線部ＴｌがハーネスＴｈの第１開口５４部分から外部に引き出されている。
【００６９】
次に、本発明のホルダーの他の実施形態について図８を参照して説明する。図８は、図５と対応する部分に同じ符号を付し重複する説明を一部省略する。
【００７０】
この実施形態は、空間５３側の第１開口５４周辺において、電極１３ａ、１３ｂの一方、たとえば高圧側のみに第１接着剤の流れ込み防止部、たとえば凸状部５７を設けている。
【図面の簡単な説明】
【００７１】
【図１】本発明の実施形態を説明する断面図である。
【図２】本発明の蛍光ランプ部分を説明する概略の構造図である。
【図３】本発明に係る電極シートの外囲器への張り付け方法を説明する断面図である。
【図４】本発明に係る電極シートを外囲器に張り付けた状態を説明する断面図である。
【図５】本発明に係るホルダーの実施形態を説明する構造図である。
【図６】本発明に係るホルダーと外囲器の接合方法を説明する構造図である。
【図７】本発明のホルダーを外囲器に接合した状態を説明する構造図である。
【図８】本発明に係るホルダーの他の実施形態を説明する構造図である。
【図９】従来例を説明する断面図である。
【図１０】従来の蛍光ランプを説明する概略の構造図である。
【図１１】従来例における電極シートの外囲器への張り付け方法を説明する断面図である。
【図１２】従来例における電極シートを外囲器に張り付けた状態を説明する断面図である。
【図１３】従来のホルダーを説明する構造図である。
【図１４】従来のホルダーをより詳細に説明するための構造図である。
【図１５】従来のホルダーと外囲器の接合状態を説明する構造図である。
【符号の説明】
【００７２】
１１…外囲器
１２…蛍光体層
１３ａ、１３ｂ…電極
１４…電極シート
１５…第１粘着剤層
１６…第１粘着剤層
１７…熱収縮チューブ
Ｌ…発光領域
Ａ…アパーチャー領域
Ｍ…ミシン目
【図１】
2006092911.tif 000003
【図２】
2006092911.tif 000004
【図３】
2006092911.tif 000005
【図４】
2006092911.tif 000006
【図５】
2006092911.tif 000007
【図６】
2006092911.tif 000008
【図７】
2006092911.tif 000009
【図８】
2006092911.tif 000010
【図９】
2006092911.tif 000011
【図１０】
2006092911.tif 000012
【図１１】
2006092911.tif 000013
【図１２】
2006092911.tif 000014
【図１３】
2006092911.tif 000015
【図１４】
2006092911.tif 000016
【図１５】
2006092911.tif 000017